(57)【要約】【課題】  ＣＰＵ内蔵ケースの地震による損傷を極力少なくすることのできるパソコンの対地震防護装置を提供すること。【解決手段】  机や床上などに設置されたパソコンのタワー型ＣＰＵ内蔵ケースを上方からの落下物から防護するため同ケース外部に付すようにされていることを特徴とする。【選択図】図２
2010165325.tif 000002
【特許請求の範囲】
【請求項１】
机や床上などに設置されたパソコンのタワー型ＣＰＵ内蔵ケースを上方からの落下物から防護するため同ケース外部に付すようにされていることを特徴とするパソコンの対地震防護装置。
【請求項２】
机や床上などに設置されたパソコンのタワー型あるいは横置き型ＣＰＵ内蔵ケースを設置面に対し定着保持する手段と落下時に防護する手段とでなるパソコンの対地震防護装置。
【発明の詳細な説明】
【技術分野】
【０００１】  本発明は、パソコンの対地震防護装置に関する。
【背景技術】
【０００２】  例えば、事務所などにおいて多用されているデスクトップ型パソコンはタワー型のＣＰＵ内蔵ケースを机上に縦置きに設置しているものが多く、狭いスペースでもって設置される点で非常に便利である。
【発明が解決しようとする課題】
【０００３】  しかしながら、こうしたタワー型のＣＰＵ内蔵ケースは、外面が無防備であるため地震により落下物がある場合には損傷を被るおそれがあり、また、単に設置したままであると地震によるショックや揺れによって落下し破損するおそれが多分にあった。
上記に鑑み、本発明は、ＣＰＵ内蔵ケースの地震による損傷を極力少なくすることのできるパソコンの対地震防護装置を提供することを目的とする。
【課題を解決するための手段】
【０００４】  上記課題を解決するため、請求項１に記載された発明は、机や床上などに設置されたパソコンのタワー型ＣＰＵ内蔵ケースを上方からの落下物から防護するため同ケース外部に付すようにされていることを特徴とする。
請求項２に記載された発明は、机や床上などに設置されたパソコンのタワー型あるいは横置き型ＣＰＵ内蔵ケースを設置面に対し定着保持する手段と落下時に防護する手段とでなる。
【発明の効果】
【０００５】  本発明によれば、机や床上などに設置されたパソコンのタワー型ＣＰＵ内蔵ケースを上方からの落下物から防護するため同ケース外部に付すようにされていることを特徴とするので、ＣＰＵ内蔵ケースの地震による損傷を極力少なくすることのできるパソコンの対地震防護装置を提供することができる。
【発明を実施するための最良の形態・実施例】
【０００６】  以下、本発明を各実施形態によって詳細に説明するが、各実施形態で説明する技術内容は、他の実施形態にも同様に適用がある。また、各部材は金属あるいは樹脂を使用するが木材やゴムなど他の材料を使用することもできる。
図１ないし図３は、本発明に係るパソコンの対地震防護装置についての一実施形態を示す。図１は図２のＡ−Ａ線端面図、図２は図１のＢ−Ｂ線端面図、図３は図２のＣ−Ｃ線端面図である。
【０００７】  これらの図において、１は事務用の机（ディスク）で、同机１の上には図示しないディスプレイやキーボード、プリンタなどが載置されている他、デスクトップ型パソコンの演算部であるタワー型のＣＰＵ内蔵ケース（以下単にケースと呼ぶこともある）２が図示のように既設あるいは新設のものとして載置されている。
【０００８】  ３は防護枠で、同防護枠３は、金属（アルミ材を含む）あるいは強度の高い樹脂製で縦長な矩形枠に形成された前後一対の主枠４，４と、これら主枠４，４間を４つの角隅部において繋ぐアングル材製のつなぎ材５…とでなる。つなぎ材５…は、図２のようにビス６…により固定する他、溶接により一体化してもよい。
【０００９】  この防護枠３は、地震による揺れから机１上からＣＰＵ内蔵ケース２が転落し損傷しないようにするためと転落する前に地震による上方からの落下物によりＣＰＵ内蔵ケース２それ自体が破損しないようにガードするために備え付けられる。同防護枠３は、その底面に貼り付けられた粘着質の緩衝面材７…の複数枚により机１上の好ましい位置に固定される。そのうえで主枠４の内面底部に貼り付けた粘着質の緩衝面材７により防護枠３内にＣＰＵ内蔵ケース２が固着され、そのあと、押し金具８により左右および上方からＣＰＵ内蔵ケース２が防護枠３内に固定されるようになっている。
尚、図２の右上欄に示すように、主枠４を上枠部４ａのみが脱着可能な構成とすることで上枠部４ａを取り外した状態の主枠４内にＣＰＵ内蔵ケース２を組み込みやすくなるように構成してもよい。
【００１０】  押し金具８は、押し板９とボルトナット１０および先端の粘着質の緩衝面材１１とでなり、ボルト１０と押し板９とはボールジョイントで結合されている。緩衝面材１１はゴムやスポンジのような材質で非粘着質のものでもよい。１２はゴム製キャップである。
防護枠３に形成される両側面および上方の開口はそのままにしたり図示のように防護と放熱を兼ねて多孔ネット１３を付してもよい。
【００１１】  尚、主枠４の内部にはソフト１４などを入れておくためのポケット１５を備え付けておくと便利でありソフト１４の保護にも役立つ。このポケット１５は、図２の右下欄に示すようにゴムやスポンジなどの弾性質のものにしてもよい。
【００１２】  また、防護枠３とＣＰＵ内蔵ケース２との間には、円筒状（あるいは中実状）の弾性詰め込み材１６を嵌め込んでもよい。この詰め込み材１６は、前記押し金具８とともにあるいは同金具８なしでも構成することができる。この弾性詰め込み材１６は、楕円を基本形状としたものにしてもよいし、図２の右欄に示すように縦横比がａ×ｂのように異なる矩形のものにして縦向きにしたり横向きにしたりして異なる隙間であっても詰め込み可能とするとともに多少の寸法の過不足にも弾性変形により吸収可能に構成してもよい。
【００１３】  さらに、図２の左欄に示すように、ＣＰＵ内蔵ケース２を防護枠３の一側寄りに配置してその一側に緩衝面材７を挟み込む一方、他側は押し金具８で固定する一方押し方式にしてもよい。この押し金具８は、仮想線のようにＣＰＵ内蔵ケース２の上肩部を押し固定するものにしてもよい。
【００１４】  また、図２の右欄図に示すように、防護枠３側から保持アーム１７を突設してその先端でディスプレイを保持して地震に対応してもよい。また、主枠４は図２の左上欄のようにアングル材（アルミを含む）で矩形枠を形成したものにしてもよい。
【００１５】  図４は他の実施形態を示す。同実施形態は、締め付け具１９により机１に固定されＣＰＵ内蔵ケース２の一側に沿って立ち上がるタイプのホルダー２０についてのもので、同ホルダー２０は、下部２０ａと上部２０ｂよりなり、その間が伸縮調節自在とされるとともに上部には押し金具２１を備えてＣＰＵ内蔵ケース２を固定可能なものである。
尚、図４の右欄に示すように、机１には突縁１ａが設けられているがその突縁１ａは突幅が僅かであることが多い。そこにクランプ２２を取り付ける場合図４の左下の締め付け具１９を構成するにはスペース的に無理がある。そこで、図４の右上欄のように、クランプ２２を突縁１ａのコーナー２個所に引っ掛かる形状としてロックネジａにより固定されるようにするとともにこのクランプ２２から逆Ｌ字形をなす押さえホルダー２３を突設して押し下げネジｂを介して押さえパッドｃを上下調節可能にしてＣＰＵ内蔵ケース２を上から押さえ込むことで地震に対して揺れず転落しないように構成することができる。
【００１６】  図５は他の実施形態を示す。同実施形態は、ＣＰＵ内蔵ケース２の上部に落下防護具２４を粘着式の緩衝面材７により被冠状に取り付けるようにしたもので、同防護具２４は、枠２５と弾性質の緩衝体２６からなり、緩衝体２６は、半円断面で互いの間が放熱隙間とされている。この防護具２４は、ＣＰＵ内蔵ケース２の前後長さと同じく長いものにしたりそれよりも短い複数個のものでなることがある。
尚、ＣＰＵ内蔵ケース２は、緩衝面材７を備えたヒンジ型の固定具２７で転落防止をすれば、ヒンジ型で各面を個別に貼り付け可能であるので確実に貼り付け得る。
【００１７】  図５の落下防護具２４はＣＰＵ内蔵ケース２の幅全体に対応するものであったが、図６に示すようにアングル型の枠３０内に緩衝体３１を備えて緩衝面材７で貼り付ける方式にしてもよい。
また、図６の右欄に示すように、枠３０の外面に緩衝体３１を付すようにしてもよい。
さらに、図７のように、緩衝体３１付の枠３０は左右に配すなど装着個所は自由である。
この場合、図７の右欄に示すように緩衝体３１付の枠３０は長いものやさらに右に示すように短い複数個からなるものにしたりすることができる。
また、図５に示すヒンジ型固定具２７は、図８に示すように、下金具２７ａをＬ形にしその上端に上金具２７ｂを付けたものにすることで下金具２７ａをＣＰＵ内蔵ケース２の側面に当て付けてセットしたあとで上金具２７ｂをＣＰＵ内蔵ケース２の側面に確実容易に付けることができるようにしてもよい。
尚、図５に示すように、机１上に設置したディスプレイ２９を締め付け具ａ付きの押さえ具ｂを机１に固定して台座２８上まで伸びた状態とすることで転倒しないようにすることができる。この場合、押さえ具ｂは緩衝面材７を介して台座２８を弾性的に押さえ込むようにする。
【００１８】  図９は他の実施形態を示す。同実施形態において、３４は落下防護具で、図５ないし図７のような構造のものや右欄のようなアングル型のものが採用される。同防護具３４は、ＣＰＵ内蔵ケース２に対し、平面上、平行にラップする関係で左右に配置されたり、左右のものが同列上ではあるが斜め端面３５ａを備えた落下防護具３５としてＣＰＵ内蔵ケース２の幅が異なる場合でも容易に対応できるようにしてもよい。この場合、緩衝面材７が１枚で足りる。
【００１９】  図１０は他の実施形態を示す。この落下防護具３８は、凸矢型と凹矢型の組み合わせからなる。
図１１のようにＴ字型とＵ字型の組み合わせからなってもよい。
尚、ＣＰＵ内蔵ケース２を机１に固定する別の実施形態として、図１２に示すようにアングル型枠４０の折れ曲げ部分に通孔４１を形成してアングルの１辺の内面と他辺の底面に通るようにして緩衝面材７を貼り付けて１枚の緩衝面材７によってＣＰＵ内蔵ケース２を固定できるようにしてもよい。この枠４０は落下防護具として利用してもよい。
【００２０】  図１３の実施形態は、上下数段にＣＰＵ内蔵ケース２を固定する方式を示し、上下２段で互いを止着具で結合するようにした矩形状の防護枠４３，４３を備えて押し金具４４によりそれぞれのＣＰＵ内蔵ケース２を固定するようにしたものである。同図右欄のように、一方が開放状の防護枠４５としてＣＰＵ内蔵ケース２をその一方から押付け固定するようにしてもよい。
【００２１】  図１４の他の実施形態は、横置き型ＣＰＵ内蔵ケース２を同じく横置き式防護枠４８の中に入れて緩衝面材７で支持するとともにＣＰＵ内蔵ケース２入り防護枠４８を緩衝面材７により机１上に粘着固定するようにしたものである。
尚、防護枠４８上に設置されるディスプレイ４９は、防護枠４８から伸びたブラケット５０に押し金具５１を介して台座５１を押付固定することで固定設置されている。
【００２２】  図１５に示す他の実施形態は、机１上に設置されるディスプレイ５４それ自体を粘着質の緩衝面材７で固定しておくとともに、それとは別に基板５５付で逆Ｕ字形をした防護枠５６を緩衝面材７を介してディスプレイ５４を囲うように設置し、さらに、防護枠５６に移動・固定自在な複数個の前板５７と背板５８とを設けてディスプレイ５４の上辺部分を前後から保持可能に対向配置したものである。
尚、防護枠５６につなぎ材５９を突設してＣＰＵ内蔵ケース２用の防護枠６０に連結してＣＰＵ内蔵ケース２の転落などを防止するようにしてもよい。
また、ＣＰＵ内蔵ケース２は、机１の脇ケース６１に内装して押し金具６２などで固定するようにしてもよい。
【００２３】  図１６および図１７は他の実施形態を示す。同実施形態は、建物の中に備えた間仕切り６５により形成された１室にＣＰＵ内蔵ケース２…を多数配備した棚６６を設置してなるものにおいて、同棚６６を地震による揺れから護りＣＰＵ内蔵ケース２を防護するようにしたものである。
【００２４】  棚６６は、緩衝面材６７により床上に固定してある。この棚６６には、左右および上下に数列をなして多数個のＣＰＵ内蔵ケース２…が配置されており、同ＣＰＵ内蔵ケース２は、左右に一定間隔を置いて発泡スチロールなどの基部ブロック６７が固定配備されてそれら基部ブロック６７間に各ＣＰＵ内蔵ケース２が収まって左右の揺れに対処できるようになっている。
【００２５】  ＣＰＵ内蔵ケース２の後方への揺れに対しては、棚６６の左右端部に突設したブラケット６８間に渡された背受け６９により受け止められるようになっている。この背受け６９は、ロープ・ワイヤ・金線材・ロッド・リンクチェーンなどいずれでもよい。
一方、ＣＰＵ内蔵ケース２の前方への揺れに対しては、扁平Ｕ字形でその両端に回転軸を有するクランク型前受け７０により受け止められるようにされている。只、この前受け７０はＣＰＵ内蔵ケース２の前方にあるためＣＰＵ内蔵ケース２を出し入れしたりする際の邪魔になることから、仮想線で示すように上に転回して取り出しなどが自由に行えるようにしてある。棚６６は、横補強材７１や背補強材７２により補強されている。また、棚６６の上部と天井面との間には、ジャッキ式の転倒防止具７３が介装されている。
【００２６】  尚、前受け７０には、ＣＰＵ内蔵ケース２が緩衝作用をもって受け止められるようにゴムやスポンジなどによる緩衝受材７４を外装してもよい。
また、ＣＰＵ内蔵ケース２を左右および前方に対して受け止めるため、ジグザグ状に折り曲げた線材を前受け７５とし、これを前後に回転させることでＣＰＵ内蔵ケース２を開放状態にしたり揺れ阻止状態にしたりすることができるようにしてもよい。
【図面の簡単な説明】
【００２７】
【図１】本発明の一実施形態を示す図２のＡ方向矢視図。
【図２】図１のＢ方向矢視図。
【図３】図２のＣ方向矢視図。
【図４】他の実施形態を示す正面図。
【図５】他の実施形態を示す正面図。
【図６】他の実施形態を示す正面図。
【図７】他の実施形態を示す横断面図。
【図８】他の実施形態を示す正面図。
【図９】他の実施形態を示す横断面図。
【図１０】他の実施形態を示す平面図。
【図１１】他の実施形態を示す平面図。
【図１２】他の実施形態を示す斜視図。
【図１３】他の実施形態を示す正面図。
【図１４】他の実施形態を示す正面図。
【図１５】他の実施形態を示す正面図。
【図１６】他の実施形態を示す正面図。
【図１７】図１６の右側面図。
【図１８】他の実施形態を示す斜視図。
【図１９】他の実施形態を示す斜視図。
【符号の説明】
【００２８】  １…机  ２…ＣＰＵ内蔵ケース  ３…防護枠  ４…主枠  ５…つなぎ材  ７…緩衝面材８…押し金具。
【図１】
2010165325.tif 000003
【図２】
2010165325.tif 000004
【図３】
2010165325.tif 000005
【図４】
2010165325.tif 000006
【図５】
2010165325.tif 000007
【図６】
2010165325.tif 000008
【図７】
2010165325.tif 000009
【図８】
2010165325.tif 000010
【図９】
2010165325.tif 000011
【図１０】
2010165325.tif 000012
【図１１】
2010165325.tif 000013
【図１２】
2010165325.tif 000014
【図１３】
2010165325.tif 000015
【図１４】
2010165325.tif 000016
【図１５】
2010165325.tif 000017
【図１６】
2010165325.tif 000018
【図１７】
2010165325.tif 000019
【図１８】
2010165325.tif 000020
【図１９】
2010165325.tif 000021